【手続補正書】
【提出日】平成20年6月16日(2008.6.16)
【手続補正１】
【補正対象書類名】明細書
【補正対象項目名】特許請求の範囲
【補正方法】変更
【補正の内容】
【特許請求の範囲】
【請求項１】 （Ａ）患者の心臓を通る血流を示す患者からの信号を獲得することができる非侵襲性心拍出量センサ（１４６）と、（Ｂ）患者からの複数の心電図（ＥＣＧ）信号を獲得することができる複数のＥＣＧ電極を備える多重リードＥＣＧセンサ（１０５）と、（Ｃ） （１）前記非侵襲性心拍出量センサ（１４６）と、前記多重リードＥＣＧセンサ（１０５）とに連結され、前記血流を示す患者からの信号を処理して、心拍出量に関する値を生成する分析モジュール（１７５）と、（２）前記分析モジュール（１７５）に連結され、前記心拍出量に関する値と、前記ＥＣＧ信号に基づいて生成されたＥＣＧ波形（２５０）とを表示するディスプレイ（２０２）と、を含む患者監視コンソール（１１０）と、
前記患者監視システム（１００）と前記患者監視システム（１００）が配置されている医療設備の局所情報通信ネットワーク（２１０）との間に通信リンクを確立することができる通信インターフェース（１９７）と、
複数の追加のセンサ（１５５）と、ダイヤルオペレータ入力装置（１１５）とを備え、
前記ディスプレイ（２０２）が、心拍出量パラメータウィンドウ（２６６）と、前記複数の追加のセンサ（１５５）の各々によって感知されたパラメータに対応する複数の追加のパラメータウィンドウ（２６０、２６２、２６４、２６８、２７０、２７２、２７４）を表示し、前記ダイヤルオペレータ入力装置（１１５）が、異なるパラメータウィンドウ（２６０、２６２、２６４、２６６、２６８、２７０、２７２、２７４）を強調表示するためにいずれの方向にも回転可能であり、前記心拍出量パラメータウィンドウ（２６６）が強調表示されており、前記心拍出量パラメータウィンドウ（２６６）が強調表示されている間に前記ダイヤルオペレータ入力装置が押されたとき、前記ディスプレイ（２０２）が複数の心拍出量メニューオプション（３０２、３２４）を表示し、前記心拍出量メニューオプション（３０２、３２４）は、オペレータに対して心拍出量に関する追加の情報を表示し、かつ、オペレータからの入力を受けて前記心拍出量センサ（１４６）からの信号の処理を調整するために、オペレータによって選択可能である、ことを特徴とする患者監視システム（１００）。
【請求項２】 前記非侵襲性心拍出量センサ（１４６）が、第１及び第２電極（２２３ａ、２２３ｂ、２２４ａ、２２４ｂ）をさらに含み、前記分析モジュール（１７５）が、患者の心臓を通る血流路における血量の関数である、前記第１及び第２電極（２２３ａ、２２３ｂ、２２４ａ、２２４ｂ）の間のインピーダンスを求めることによって、前記心拍出量に関する値を生成することを特徴とする請求項１に記載のシステム。
【請求項３】 前記複数のメニューオプション（３０２から３２４）が、患者上に第１及び第２電極（２２３ａ、２２３ｂ、２２４ａ、２２４ｂ）が置かれたことを前記患者監視システム（１００）に検証させるオプションを含むことを特徴とする請求項２に記載のシステム（１００）。
【請求項４】 前記複数のメニューオプション（３０２から３２４）が、患者上における適切な電極の配置位置を説明するヘルプ情報（３７２）を前記ディスプレイ（２０２）に表示させるヘルプオプション（３１２）を含むことを特徴とする請求項２に記載のシステム（１００）。
【請求項５】 前記複数のメニューオプション（３０２から３２４）が、患者上に電極を置く前の適切な皮膚の準備を説明するヘルプ情報（３７０）を前記ディスプレイ（２０２）に表示させるヘルプオプション（３１２）を含むことを特徴とする請求項２に記載のシステム（１００）。
【請求項６】 前記複数のメニューオプション（３０２から３２４）が、オペレータに対して表示されるインピーダンス波形（２５２）の形式を変更するためのオプション（３１４）を含むことを特徴とする請求項２に記載のシステム（１００）。
【請求項７】 （Ａ）患者の心臓を通る血流を示す患者からの信号を獲得することができる、非侵襲性心拍出量センサ（１４６）と、（Ｂ）前記患者監視システムと（１００）と、前記患者監視システム（１００）が配置されている医療設備の局所情報通信ネットワーク（２１０）との間に通信リンクを確立することができる通信インターフェース（１９７）と、（Ｃ） （１）非侵襲性心拍出量センサ（１４６）に連結され、前記血流を示す患者からの信号を処理して、心拍出量に関する値を生成する分析モジュール（１７５）と、（２）前記分析モジュール（１７５）に連結され、前記心拍出量に関する値を表示するディスプレイ（２０２）と、を含む患者監視コンソール（１１０）と、複数の追加のセンサ（１５５）と、ダイヤルオペレータ入力装置（１１５）とを備え、前記通信インターフェース（１９７）は、前記局所情報通信ネットワーク（２１０）上で前記心拍出量に関する値を送信することができ、前記ディスプレイ（２０２）が、心拍出量パラメータウィンドウ（２６６）と、前記複数の追加のセンサ（１５５）の各々によって感知されたパラメータに対応する複数の追加のパラメータウィンドウ（２６０、２６２、２６４、２６８、２７０、２７２、２７４）を表示し、前記ダイヤルオペレータ入力装置（１１５）が、異なるパラメータウィンドウ（２６０、２６２、２６４、２６６、２６８、２７０、２７２、２７４）を強調表示するためにいずれの方向にも回転可能であり、前記心拍出量パラメータウィンドウ（２６６）が強調表示されており、前記心拍出量パラメータウィンドウ（２６６）が強調表示されている間に前記ダイヤルオペレータ入力装置が押されたとき、前記ディスプレイ（２０２）が複数の心拍出量メニューオプション（３０２、３２４）を表示し、前記心拍出量メニューオプション（３０２、３２４）は、オペレータに対して心拍出量に関する追加の情報を表示し、かつ、オペレータからの入力を受けて前記心拍出量センサ（１４６）からの信号の処理を調整するために、オペレータによって選択可能である、ことを特徴とする患者監視システム（１００）。
【請求項８】 前記非侵襲性心拍出量センサ（１４６）が、第１及び第２電極（２２３ａ、２２３ｂ、２２４ａ、２２４ｂ）をさらに含み、前記分析モジュール（１７５）が、患者の心臓を通る血流路ににおける血量の関数である、前記第１及び第２電極（２２３ａ、２２３ｂ、２２４ａ、２２４ｂ）の間のインピーダンスを求めることによって、前記心拍出量に関する値を生成し、前記複数のメニューオプション（３０２から３２４）が、患者上の第１及び第２電極（２２３ａ、２２３ｂ、２２４ａ、２２４ｂ）の配置を前記患者監視システム（１００）に検証させるオプションを含むことを特徴とする請求項７に記載のシステム（１００）。
【請求項９】 前記非侵襲性心拍出量センサ（１４６）が、第１及び第２電極（２２３ａ、２２３ｂ、２２４ａ、２２４ｂ）をさらに含み、前記分析モジュール（１７５）が、患者の心臓を通る血流路ににおける血量の関数である、前記第１及び第２電極（２２３ａ、２２３ｂ、２２４ａ、２２４ｂ）の間のインピーダンスを求めることによって前記心拍出量に関する値を生成し、前記複数のメニューオプション（３０２から３２４）が、患者上の適切な電極の配置を説明するヘルプ情報（３７２）を前記ディスプレイ（２０２）に表示させるヘルプオプション（３１２）を含むことを特徴とする請求項７に記載のシステム（１００）。
【請求項１０】 多重リードの心電図（ＥＣＧ）センサ（１０５）が患者からの複数のＥＣＧ信号を獲得することができる複数のＥＣＧ電極を備え、前記ディスプレイ（２０２）は前記ＥＣＧ信号に基づいて生成されたＥＣＧ波形（２５０）を表示することを特徴とする請求項７に記載のシステム（１００）。
【請求項１１】 前記複数のＥＣＧ信号がリードＩ、ＩＩ、ＩＩＩ、Ｖ１、Ｖ２、Ｖ３、Ｖ４、Ｖ５、Ｖ６、ａＶＲ、ａＶＬ、及びａＶＦを含むことを特徴とする請求項１０に記載のシステム（１００）。
【請求項１２】 患者監視システム（１００）であって、（Ａ）患者の心臓を通る血流を示す患者からの信号を獲得することができ、第１及び第２電極（２２３ａ、２２３ｂ、２２４ａ、２２４ｂ）を含む非侵襲性心拍出量センサ（１４６）と、（Ｂ）患者からの複数の心電図（ＥＣＧ）信号を獲得することができる複数のＥＣＧ電極を含む多重リードＥＣＧセンサ（１０５）と、（Ｃ）患者から血圧情報を獲得することができる血圧センサ（１４１）と、（Ｄ）患者から心拍酸素計測値情報を獲得することができる心拍酸素測定センサ（１４２）と、（Ｅ）患者の呼気における二酸化炭素含量に関する情報を獲得することができる二酸化炭素センサ（１４４）と、（Ｆ） （１）前記非侵襲性心拍出量センサ（１４６）と、前記多重リードＥＣＧセンサ（１０５）と、前記血圧センサ（１４１）と、前記心拍酸素測定センサ（１４２）と、前記二酸化炭素センサ（１４４）とに連結され、血流を示す患者からの信号を処理して心拍出量に関する値を生成し、患者の心臓を通る血流路における血量の関数である、第１及び第２電極（２２３ａ、２２３ｂ、２２４ａ、２２４ｂ）の間のインピーダンスを求めることによって、単位時間当たりに心臓によって送出される血量に関する、前記心拍出量に関する値を生成する、分析モジュール（１７５）、（２）前記分析モジュール（１７５）に連結され、ＥＣＧ波形（２５０）と、前記心拍出量に関する値と、前記血圧情報と、前記二酸化炭素情報と、前記心拍酸素計測値情報とを表示するディスプレイ（２０２）、（３）前記患者監視システム（１００）と、前記患者監視システム（１００）が配置されている医療設備の局所情報通信ネットワーク（２１０）との間に通信リンクを確立することができる通信インターフェース（１９７）、及び、（４）ダイヤルオペレータ入力装置（１１５）、を含む患者監視コンソール（１１０）と、を備え、前記ディスプレイ（２０２）が、各々の前記心拍出量情報、前記ＥＣＧ情報、前記血圧情報、前記心拍酸素計測値情報、及び前記二酸化炭素情報をそれぞれ表示する複数のパラメータウィンドウ（２６０から２７４）を表示し、前記ダイヤルオペレータ入力装置（１１５）が異なるパラメータウィンドウ（２６０から２７４）を強調表示するためにいずれに方向においても回転可能であり、前記心拍出量パラメータウィンドウ（２６６）が強調表示されており、前記心拍出量パラメータウィンドウ（２６６）が強調表示されている間に前記ダイヤルオペレータ入力装置が押されたとき、前記ディスプレイ（２０２）が複数の心拍出量メニューオプション（３０２、３２４）を表示し、前記心拍出量メニューオプション（３０２、３２４）は、オペレータに対して心拍出量に関する追加の情報を表示し、又は、オペレータからの入力を受けて前記心拍出量センサ（１４６）からの信号の処理を調整するために、オペレータによって選択可能である、ことを特徴とする患者監視装置（１００）。
【請求項１３】 前記複数のＥＣＧ信号が、直接獲得された８本のリードと、それから引き出された４本のリードを含むことを特徴とする請求項１２に記載のシステム（１００）。
【請求項１４】 前記複数のＥＣＧ信号が、リードＩ、ＩＩ、ＩＩＩ、Ｖ１、Ｖ２、Ｖ３、Ｖ４、Ｖ５、Ｖ６、ａＶＲ、ａＶＬ、及びａＶＦを含むことを特徴とする請求項１２に記載のシステム（１００）。
【請求項１５】 患者監視コンソール（１１０）であって、
（Ａ）患者の心臓を通る血流を示す患者からの信号を獲得することができる、非侵襲性心拍出量センサ（１４６）のための入力と、
（Ｂ）前記患者からの複数の心電図（ＥＣＧ）信号を獲得することができる複数のＥＣＧ電極を含む多重リードＥＣＧセンサ（１０５）のための入力と、
（Ｃ） （１）非侵襲性心拍出量センサ（１４６）の前記入力と前記多重リードＥＣＧセンサ（１０５）の前記入力に連結され、前記血流を示す患者からの信号を処理して、心拍出量に関する値を生成し、ＥＣＧ波形（２５０）と、非侵襲性心拍出量波形（２５２）とを同時に表示する分析モジュール（１７５）と、
前記患者監視コンソール（１１０）を、前記患者監視コンソール（１１０）が配置されている医療設備の局所情報通信ネットワーク（２１０）に無線接続することができる通信インターフェース（１９７）と、を備え、
前記患者監視コンソール（１１０）は、前記局所情報通信ネットワーク（２１０）への無線接続及び有線接続を自動的に切り替えることが可能であり、
前記患者監視コンソール（１１０）は、複数の追加のセンサ（１５５）とダイヤルオペレータ入力装置（１１５）をさらに含み、
前記ディスプレイ（２０２）が、非侵襲性心拍出量パラメータウィンドウ（２６６）と、前記複数の追加のセンサ（１５５）の各々によって感知されたパラメータに対応する複数の追加のパラメータウィンドウ（２６０、２６２、２６４、２６８、２７０、２７２、２７４）を表示し、前記ダイヤルオペレータ入力装置（１１５）が、異なるパラメータウィンドウ（２６０、２６２、２６４、２６６、２６８、２７０、２７２、２７４）を強調表示するためにいずれの方向にも回転可能であり、
前記非侵襲性心拍出量パラメータウィンドウ（２６６）が強調表示されており、前記非侵襲性心拍出量パラメータウィンドウ（２６６）が強調表示されている間に前記ダイヤルオペレータ入力装置が押されたとき、前記ディスプレイ（２０２）が複数の非侵襲性心拍出量メニューオプション（３０２、３２４）を表示し、前記心拍出量メニューオプション（３０２、３２４）は、オペレータに対して非侵襲性心拍出量に関する追加の情報を表示し、かつ、オペレータからの入力を受けて前記非侵襲性心拍出量センサ（１４６）からの信号の処理を調整するために、オペレータによって選択可能である、ことを特徴とする患者監視コンソール（１１０）。
【請求項１６】 前記非侵襲性心拍出量センサ（１４６）が、第１及び第２電極（２２３ａ、２２３ｂ、２２４ａ、２２４ｂ）をさらに含み、前記複数のメニューオプション（３０２から３２４）が、患者上に第１及び第２電極（２２３ａ、２２３ｂ、２２４ａ、２２４ｂ）が置かれたことを前記患者監視システム（１００）に検証させるオプションを含む請求項１５に記載のコンソール（１１０）。
【請求項１７】 前記非侵襲性心拍出量センサ（１４６）が、第１及び第２電極（２２３ａ、２２３ｂ、２２４ａ、２２４ｂ）をさらに含み、前記複数のメニューオプション（３０２から３２４）が、患者上における適切な電極の配置位置を説明するヘルプ情報（３７２）を前記ディスプレイ（２０２）に表示させるヘルプオプション（３１２）を含む請求項１５に記載のコンソール（１１０）。